(57)【特許請求の範囲】
【請求項１】
ハウジング、及び前記ハウジングに対し直線方向に摺動可能に配置されて互いに離間した係止位置と接近した解除位置に切り換えられる一対のロッド、並びに初期状態から操作状態に揺動されることにより前記各ロッドを係止位置より解除位置に切換可能な操作部材を備え、前記各ロッドを介して開閉体を本体に係脱するロック装置において、
前記ロック装置は、前記ハウジングと、前記ロッドと、前記操作部材と、前記ロッド同士を接続した状態でそのロッド同士を離間する方向へ付勢する接続部材と、前記ハウジングと前記操作部材との間に配置されて前記操作部材が前記接続部材の付勢力を介して操作状態から初期状態に切り換えられるときにその操作部材の揺動抵抗として働く付勢部材とからなる、ことを特徴とするロック装置。
【請求項２】
前記ロッドに前記操作部材を介して加わる前記付勢部材の応力に比べ、前記接続部材によって前記ロッドを付勢する付勢力の方が大きいことを特徴とする請求項１に記載のロック装置。
【請求項３】
前記ロッド及び前記操作部材の一方に設けられた傾斜部、及び他方に設けられて前記傾斜部に当接するアーム部を有し、前記操作部材が初期状態から操作状態に揺動されると、前記ロッド同士が前記傾斜部及び前記アーム部のカム作動により前記接続部材の付勢力に抗して接近されることを特徴とする請求項１又は２に記載のロック装置。
【請求項４】
前記付勢部材がコイルばねであることを特徴とする請求項１から３の何れかに記載のロック装置。
【請求項５】
前記接続部材が捻りコイルばねであることを特徴とする請求項１から４の何れかに記載のロック装置。
【請求項６】
前記捻りコイルばねが、巻線部を前記各ロッドの摺動方向の軸線から外れた箇所に配置しているとともに、前記巻線部の両端部を前記各ロッドの異なる方にそれぞれ係止していることを特徴とする請求項５に記載のロック装置。
【発明の詳細な説明】
【技術分野】
【０００１】
本発明は、開閉体を本体に係脱するロック装置のうち、互いに離間されたり接近される一対のロッドを介して係脱する場合に好適なロック装置に関する。
【背景技術】
【０００２】
図８は特許文献１に開示のロック装置を示し、（ａ）は分解構成図、（ｂ）は作動説明図である。同図のロック装置は、左右の円筒部６を有した操作部材（ハンドル）１と、操作部材を保持する支持枠２と、支持枠２に対し円筒部６を介して直線方向に摺動可能に配置されて互いに離間した係止位置と接近した解除位置に切り換えられる２つのロッド（スライドピン）３と、各ロッド３の基端側に連結されてロッドの進退動を促す２つのカム部材４と、各円筒部６に配置されて対応するロッド３をそれぞれ離間方向へ付勢する２つのコイルばね５とからなる。基本作動は、各ロッド３が同（ｂ）のごとくコイルばね５で離間する方向に摺動されて本体であるパネルＰのロック孔Ｈに係合した係止位置と、各ロッド３が操作部材１を初期状態から操作状態に揺動してロッド同士を係止位置より付勢力に抗した解除位置（前記したロック孔Ｈに対する各ロッドの係合を解除可能にする位置）とに切り換えられる。
【０００３】
要部は、操作部材１の揺動により各ロッド３をカム部材４を介して係止位置から解除位置に切り換える点、各ロッド３を操作ハンドル１に対しカム部材４を介して作動連結した点、各ロッド３の後端部側を二叉状の弾性片１１に形成した点、各カム部材４の筒状先端部４ａに係止孔１５を設けるとともに、各弾性片１１にその係止孔１５に係脱する突起１２を設けた点にある。要部作動は、同（ｂ）のごとく各ロッド３がパネル側ロック孔Ｈに係合された係止状態でも、ロッド３をカム部材４に対して回転させるだけで突起１２がカム部材側係止孔１５から外れるため、ロッド３、カム部材４を含む駆動機構も容易に取り外しできるようにしたものである。
【先行技術文献】
【特許文献】
【０００４】
【特許文献１】特許第３８６３８３７号公報
【発明の概要】
【発明が解決しようとする課題】
【０００５】
上記従来のロック装置では次のような観点から未だ満足できなかった。すなわち、
（ア）上記のロック装置は、装置構造として操作部材１、支持枠２、２つののロッド３、２つのカム部材４、２つのコイルばね５の合計８点構成であるため、部品管理が煩雑化したり製造費を低減する上で限界がある。このため、部材数を少しでも減らしてコスト低減を図りたい。
【０００６】
（イ）上記のロック装置は、各ロッド３を同期して接近したり離間する機構として、各ロッドに装着されるカム部材４と操作部材側円筒部６内の凸部７とで構成されており、例えば、操作部材１を初期状態から持ち上げる操作状態に揺動すると、凸部７が対応するカム部材側のカム溝１８の溝縁に沿って移動してカム部材４をコイルばね５の付勢力に抗して円筒部６内に引き込ませ、その結果、ロッド同士が接近つまりロッド３の後退によりロック孔Ｈとの係合を解除する。このような機構では、操作部材１が操作状態から初期状態に戻されるとき、コイルばね５に蓄積された付勢力により急速に初期状態に切り換えられ、そのとき戻り打音を生じる。この対策例としては、カム部材と操作部材側円筒部との間にＯリングを介在させてロッドの摺動時に摺動抵抗を生じさせることで前記の戻り打音を軽減する構成がある（特許第４０７７３９１号公報）。しかし、この対策は、制動用ダンパーを追加するよりも簡易であるが、構成部材が合計１０点構成となってしまう。
【０００７】
本発明の目的は、以上のような課題を解消して、部品点数を削減するとともに操作部材の戻り打音を簡易に軽減することにより、コスト低減及び品質向上を図ることにある。
【課題を解決するための手段】
【０００８】
上記目的を達成するため本発明は、図面を参照して特定すると、ハウジング１、及び前記ハウジングに対し直線方向に摺動可能に配置されて互いに離間した係止位置と接近した解除位置に切り換えられる一対のロッド２、並びに初期状態から操作状態に揺動されることにより前記各ロッドを係止位置より解除位置に切換可能な操作部材３を備え、前記各ロッドを介して開閉体を本体に係脱するロック装置７において、前記ロック装置７は、前記ハウジング１と、前記ロッド２と、前記操作部材３と、前記ロッド同士を接続した状態でそのロッド同士を離間する方向へ付勢する接続部材５と、前記ハウジングと前記操作部材との間に配置されて前記操作部材３が前記接続部材５の付勢力を介して操作状態から初期状態に切り換えられるときにその操作部材の揺動抵抗として働く付勢部材４とからなることを特徴としている。
【０００９】
ここで、『開閉体』及び『本体』としては、例えば、開閉体が蓋類であれば本体がその蓋類で開閉されたり覆われる各種筺体等であり、開閉体がグローブボックス類であればそのグローブボックス類を配設している各種パネルなどである。要は、開閉体としては本体側に対して規則的に動くものであればよい。『操作部材の揺動抵抗として働く』とは、操作部材が接続部材の付勢力を介して操作状態（このときは各ロッドが退行してロック孔から抜けて係合を解除可能な解除位置）から初期状態（このときは各ロッドが突出してロック孔に係合可能な係止位置）に切り換えられるときに、付勢部材の無いときに比べて緩やか、又は制動された速さで戻されるというような意味で使用している。
【００１０】
以上の本発明は、請求項２〜６で特定したように具体化されることがより好ましい。
(１)、前記ロッド２に前記操作部材３を介して加わる前記付勢部材４の応力に比べ、前記接続部材５によって前記ロッド２を付勢する付勢力の方が大きくなっている構成である（請求項２）。
(２)、前記ロッド２及び前記操作部材３の一方に設けられた傾斜部２５、及び他方に設けられて前記傾斜部に当接するアーム部３４を有し、前記操作部材３が初期状態から操作状態に揺動されると、前記ロッド同士が前記傾斜部及び前記アーム部のカム作動により前記接続部材５の付勢力に抗して接近される構成である（請求項３）。
【００１１】
(３)、前記付勢部材４がコイルばねからなる構成である（請求項４）。なお、この付勢部材４は、コイルばねとして次の接続部材５と同様に捻りコイルばねが最適である。
(４)、前記接続部材５が捻りコイルばねからなる構成である（請求項５）。
(５)、前記捻りコイルばねが、巻線部５ｃを前記各ロッド２の摺動方向の軸線から外れた箇所に配置しているとともに、両端部５ａ，５ｂを前記各ロッドの異なる方にそれぞれ係止している構成である（請求項６）。
【発明の効果】
【００１２】
請求項１の発明は上記した課題を解消して次のような利点を具備できる。すなわち、
第１に、本発明のロック装置は、上記（ア）の課題に対し、構成部材がハウジング、２つのロッド、操作部材、接続部材、付勢部材の合計６点の部品からなるため、製造費を低減する上で重要となる部材数を減らしてコスト低減を実現し易い。他の特徴としては、特許文献１のカム部材のような中間組立部品がなく、ロッド及び操作部材がそれぞれ単独でハウジングに組み込まれるため組立作業も改善し易くなる。
第２に、本発明のロック装置は、上記（イ）の課題に対し、操作部材が接続部材の付勢力を介して操作状態から初期状態に切り換えられるときにその操作部材の揺動抵抗として働く付勢部材を有しているため、操作部材の操作状態から初期状態に切り換える際に生じる操作部材の打音を軽減でき、かつ、操作部材の初期状態で振動が加わってもガタ付き音の発生を抑えることができる。
第３に、本発明の付勢部材は、既存の制動用ダンパーを用いる構成に比べ簡易でコスト的にも有利であり、また、上記した２つのＯリングを用いる構成に比べ単一部材という点、経時変化や熱環境等の影響も受け難くい点で優れている。
【００１３】
請求項２の発明は、付勢部材と接続部材の各付勢力の大きさを確認的に特定したもので、仮に、接続部材によりロッドを係止位置方向へ付勢する付勢力の方がロッドに加わる付勢部材の付勢力に起因した応力（操作部材を介してロッドを係止位置方向へ付勢する付勢力と捉えても差し支えない）に比べ小さいと、操作部材を非操作時（操作部材を操作していないとき）にも初期状態に維持不能となるが、そのような不具合を解消する。
【００１４】
請求項３の発明は、操作部材の揺動により各ロッドを同期して係止位置から解除位置方向へ摺動する駆動機構として、傾斜部及びアーム部のカム構造を採用することにより、形態例のごとく傾斜部及びアーム部の異なる一方を操作部材とびロッドとにそれぞれ一体形成可能となって簡素化を維持可能にする。これに対し、請求項４の発明は、付勢部材としてコイルばねを用いるため、簡素化と共に熱環境や経時変化に強く信頼性を向上できる。
【００１５】
請求項５の発明は、接続部材として捻りコイルばねを用いるため、簡素化と共に付勢力の大きさ調整などの点で優れている。これに対し、請求項６の発明では、捻りコイルばねが形態例のごとく巻線部を各ロッドの摺動方向の軸線から外れた箇所に配置しているため、特に軸線方向のスベースを小さく抑える仕様に好適なものとなる。
【図面の簡単な説明】
【００１６】
【図１】本発明形態に係るロック装置の外観を示し、（ａ）は正面側より見た斜視図、（ｂ）は背面側より見た斜視図である。
【図２】上記ロック装置の細部を示し、（ａ）は上面図、（ｂ）は正面図である。
【図３】上記ロック装置の細部を示し、（ａ）は背面図、（ｂ）は左側面図、（ｄ）は図２（ａ）のＡ−Ａ線断面図である。
【図４】上記ロック装置の構成を示す分解斜視図である。
【図５】上記ロック装置を操作部材と付勢部材を外した状態で示す分解斜視図である。
【図６】上記ロック装置をハウジングと付勢部材を省略した正面側より見た斜視図で、（ａ）はロッドの係止位置で示す図、（ｂ）はロッドの解除位置で示す図である。
【図７】図６から更に操作部材を省略して正面側より見た図で、（ａ）はロッドの係止位置で示す図、（ｂ）はロッドの解除位置で示す図である。
【図８】特許文献１のロック装置を示し、（ａ）は分解斜視図、（ｂ）はロック装置をロック状態で示す作動図である。
【発明を実施するための最良の形態】
【００１７】
以下、本発明の形態例について添付した図面を参照しながら説明する。この説明では、ロック装置の構造、組立、作動の順に詳述する。
【００１８】
（ロック装置の構造）形態例のロック装置６は、図１〜図７に示されるごとく、ハウジング１と、一対のロッド２Ａ，２Ｂ（２）と、各ロッド２Ａ，２Ｂをハウジング１より突出した係止位置より後退した解除位置に切換可能な操作部材３と、ロッド同士を接続した状態でそのロッド同士を離間する方向へ付勢する捻りコイルばね５と、操作部材３が捻りコイルばね５の付勢力を介して操作状態から初期状態に切り換えられるときにその操作部材の揺動抵抗として働くコイルばね４とで構成されている。次に、以上の各部材の細部を明らかにする。
【００１９】
ここで、ハウジング１、ロッド２Ａ，２Ｂ、操作部材３は共に樹脂の射出成形品であるが、樹脂以外でも差し支えない。コイルばね４は、本発明の付勢部材に対応しており、コイルばねの荷重方向が主として圧縮応力を受ける圧縮コイルばね（日本工業規格ＪＩＳ：Ｂ２７０４などを参照し設計される）が用いられ、両端４ａ，４ｂが概略９０°程度変位している。捻りコイルばね５は、本発明の接続部材に対応しており、コイルばねの荷重方向が主として捻り応力を受ける捻りコイルばね（日本工業規格ＪＩＳ：Ｂ２７０９などを参照し設計される）が用いられ、両端５ａ，５ｂが巻線部５ｃを挟んで概略Ｖ形に変位している。
【００２０】
ハウジング１は、図４と図５に示されるごとく、横又は左右に長い主部１０及び主部１０の下側に設けられた相対的に短い副部１５で区画されている。このうち、主部１０は、各ロッド２Ａ，２Ｂを摺動可能に支持する筒部１１と、操作部材３を枢支する左右の連結片１２と、操作部材３のアーム部３４を筒内に余裕を持って導入する左右の通孔１３と、コイルばね４を支持する左右の支持片１４とを有している。筒部１１は、上下面１１ａ，１１ｂと正面１１ｃ及び背面１１ｄにより区画され、断面がロッドの後部２０に対応した略矩形状となっている。正面１１ｃには、前記した左右の連結片１２、２つの通孔１３、左右の支持片１４が設けられている。各連結片１２には、軸部１２ａが外側面にあって同軸線上に突設されている。各通孔１３は、連結片１２の内側に設けられて上下に長い矩形孔となっている。各支持片１４は、通孔１３同士の間に設けられて、対向面に突出された軸部１４ａを有している。また、正面１１ｃには、右側の支持片１４の内側に係止溝１４ｂが上面１１ａから切り込まれた状態に設けられている。
【００２１】
下面１１ｂには副部１５が一体化されている。副部１５は、主部１０に比べ左右寸法が短くなっていて、正面１５ｃが主部の正面１１ｃに対し落ち込んだ段差状に形成され、背面１５ｄが主部の背面１１ｄと面一となっている。副部１５の左右には、正面１５ｃから背面１５ｄに貫通された取付孔１７が設けられている。この取付孔１７は、ロック装置６を開閉体等にねじなどの止め具により装着するときに利用される。副部１５の背面１５ｄには、中間部にあって、主部側背面１１ｄも含めて大きな矩形状に切り欠かれた窓部１６が設けられている。窓部１６には、副部１５の正面内側に突設された支持軸１８と、筒部１１を区画している下面１１ｂの一部が露出されている。支持軸１８は、円筒状からなり、円筒の上下に設けられてコ形のスリットにより区画された弾性片部１９を有している。その弾性片部１９には先端外側へ突出された抜け止め用爪部１９ａが設けられている。窓部１６に露出された下面１１ｂには、支持軸１８の真上側にあって副部１５の内部と筒部１１の内部とを連通している切欠部１１ｅが設けられている。
【００２２】
各ロッド２Ａ，２Ｂは、前記筒部１１の空間１０ａに対し直線方向に摺動可能に配置されて互いに離間した係止位置と接近した解除位置に切り換えられる。すなわち、各ロッド２Ａ，２Ｂは、空間１０ａに摺動可能に配置される後部２０と、図７のごとくパネル側のロック孔７ａに係脱される先端部２３と、後部２０と先端部２３との間に介在された軸部２１及び板部２２とからなる。なお、軸部２１及び板部２２は省略してもよい。
【００２３】
後部２０には、図４及び図６に示されるごとく、捻りコイルばね５の対応する端部を係止する後端側の段差部２６と、操作部材３のアーム部３４が当接される段差部２６より先端側の傾斜部２５とが設けられている。各段差部２６は、捻りコイルばね５の端部５ａ又は５ｂを揺動可能に係止する箇所であり、一方のロッド２Ａと他方のロッド２Ｂとでほぼ対向する関係に設けられている。すなわち、ロッド２Ａの段差部２６は、後部２０の端側にあって筒部１１の正面１１ｃ又は操作部材３と対向するよう設けられている。一方、ロッド２Ｂの段差部２６は、後部２０の端側にあって筒部１１の背面１１ｄと対向するよう設けられている。また、各傾斜部２５は、後部２０の同じ側面側、つまり筒部１１の正面１１ｃ又は操作部材３と対向する側に設けられている。すなわち、各傾斜部２５は、後部２０の側面を凹所２４に形成し、該凹所２４の後端部側の端面を利用して形成され、下から上に向かって次第に後端部側に近づくテーパー面となっている。
【００２４】
操作部材３は、筒部正面１１ｃの中間部及び副部正面１５ｃをほぼ覆う大きさの板体３０からなる。板体３０の背面には、両側に設けられた側板３１と、両側板３１の上側にあって同軸線上に貫通された軸孔３２と、両側板３１の間を上下に区画するよう設けられた仕切板３３と、仕切板３３より上側にあって各側板３１の内側に突設されたアーム部３４とが設けられている。両側板３１には、板突出端側より各軸孔３２に通じる案内溝３５が対向面に設けられている。案内溝３５は、上記連結片の軸部１２ａを軸孔３２に導く溝である。板体３０の背面には、リブ状の当て部３６が仕切板３３より少し上側に設けられている。当て部３６は、コイルばね４の端部４ｂを受け止める箇所である。
【００２５】
（組立）以下、以上の各部材の組立手順例について説明する。この例では、図４及び図５に示されるごとく、ハウジング１に対し各ロッド２Ａ，２Ｂを空間１０ａに配置し、かつ、コイルばね４を支持片１４同士の間に配置する。すなわち、各ロッド２Ａ，２Ｂは、それぞれの後部２０が筒部１１の空間１０ａに異方向から挿入され、各凹所２４が対応する通孔１３に位置するよう配置される。コイルばね４は、各支持片側の軸部１４ａがコイル内径に挿入されるよう圧縮しながら支持片１４同士の間に配置された後、一端４ａが係止溝１４ｂに嵌入されて係止される。
【００２６】
次に、操作部材３がハウジング１に組み付けられる。この場合、操作部材３は、各アーム部３４を対応する通孔１３に挿入した状態で、両側板３１を対応する連結片１２の外側に押し付ける。すると、各アーム３４は、筒部１１に挿入された対応するロッド２Ａ又は２Ｂの凹所２４内に突出される。このため、以降は、各ロッド２Ａ，２Ｂが筒部１１内で摺動されるものの、引き抜き不能となる。同時に、操作部材３は、各連結片１２に対し、連結片側軸部１２ａが対応する側板の案内溝３５に沿って導かれて最終的に軸孔３２に嵌合され、軸部１２ａを支点として回動ないしは揺動可能に枢支される。その際、この構造では、コイルばね４の他端４ｂが当て部３６に圧接されて、操作部材３が図６に示した操作方向である矢印Ｔ3の方向へ付勢される。このため、この組立の途中状態、つまり捻りコイルばね５の組み込み前段階では、操作部材３が図６（ａ）の略垂直姿勢となる初期状態に比べて、コイルばね４の付勢力により図６（ｂ）の所定傾斜姿勢となる操作状態に近い状態まで揺動変位される。
【００２７】
次に、捻りコイルばね５が図１（ｂ）のごとく組み込まれる。すなわち、捻りコイルばね５は、巻線部５ｃの内径に支持軸１８を串差し状に挿通し、かつ、爪部１９ａにより抜け止めされた状態から、両端５ａ，５ｂを内側に弾性変位しながら、一端５ａが一方ロッド２Ａの段差部２６に掛け止めされ、他端５ｂが他方ロッド２Ｂの段差部２６に掛け止めされる。これにより、ロック装置６として完成される。
【００２８】
（作動）以下、以上のように作製されたロック装置６の主な作動特徴について言及する。
（１）、図１〜図３と図６及び図７の各（ａ）は、ロック装置６の各ロッド２Ａ，２Ｂが係止位置、つまりロック状態を示している。このロック状態では、各ロッド２Ａ，２Ｂが捻りコイルバル５の付勢力により筒部１１から最大まで突出、又は、ロッド２Ａ，２Ｂ同士が最も離間するまで摺動されている。各アーム部３４は、各ロッド２Ａ，２Ｂが離間する方向に摺動される過程で対応するロッドの傾斜部２５にあって傾斜の低い箇所から高い箇所に移行される。以上のロック状態において、各ロッド２Ａ，２Ｂは、先端部２３がパネル側のロック孔７ａに係合可能となる。また、操作部材３は、アーム部３４が傾斜部２５に当接された状態で、コイルばね４の付勢力により図６の矢印Ｔ3の方向へ付勢されているため、振動を受けてもガタ付くことがなくなりガタ音を回避できる。
【００２９】
（２）、図６及び図７の各（ｂ）は、ロック装置６の各ロッド２Ａ，２Ｂが解除位置、つまりアンロック（ロック解除）状態を示している。まず、ロック装置６は、操作部材３を略垂直姿勢（初期状態）から図６（ｂ）の矢印方向、つまり軸部１２ａを支点として所定傾斜角だけ揺動操作すると、ロック状態からアンロック状態に切り換えられる。この切換作動は、操作部材３が略垂直姿勢（初期状態）から図６（ｂ）の矢印方向に揺動されると、各アーム部３４が対応するロッド２Ａ，２Ｂの傾斜部２５を押圧し、その結果、アーム部３４及び傾斜部２５のカム作動によりロッド同士を捻りコイルばね５の付勢力に抗して（捻りコイルばね５に付勢力を蓄積すること）接近する方向に摺動する。このため、以上のアンロック状態において、各ロッド２Ａ，２Ｂは、先端部２３がパネル側のロック孔７ａから外れて係合解除可能となる。
【００３０】
（３）、そして、以上のロック装置６は、アンロック状態に切り換えられた後、操作部材３から手を離すことにより、各ロッド２Ａ，２Ｂが捻りコイルばね５の付勢力により離間する方向へ摺動して再びロック状態となる。操作部材３は、アーム部３４及び傾斜部２５のカム作動により、捻りコイルばね５の付勢力に比例した速さで図６（ｂ）の所定傾斜角から図６（ａ）の略垂直姿勢（初期状態）に戻される。その際、操作部材３は、仮にコイルばね４が無いときに比べて、コイルばね４の付勢力に抗して戻されるため戻し時の打音が抑制される。これにより、ロック装置６は、特に従来の打音を簡易、かつ長期に渡って確実に抑制ないしは軽減して品質を向上できる。
【００３１】
換言すると、以上のロック装置６において、コイルばね４と捻りコイルばね５とは次のように機能するように設定されている。図６において、符号Ｔ1は操作部材３が捻りコイルばね５の付勢力をロッド２Ａ又は２Ｂを介して受けるばね荷重、符号Ｔ3は操作部材３がコイルばね４から受けるばね荷重、符号Ｔ2は同（ａ）のロック状態から同（ｂ）のアンロック状態に切り換えるときに操作部材３に加える操作荷重である。同（ａ）のロック状態との関係では、コイルばね４のばね荷重Ｔ3がＴ1に対抗する力として作用、つまりブレーキの役割を果たすため上記した戻し時の打音を抑制ないしは軽減できる。これに対し、同（ｂ）のアンロック状態との関係では、コイルばね４のばね荷重Ｔ3が操作部材３を初期状態から操作状態に切り換えるに必要な操作荷重Ｔ2と同方向に働くため、操作荷重を軽減するアシストの役割を果たす。
【００３２】
なお、本発明のロック装置は、請求項１で特定される構成を備えておればよく、細部は以上の説明を参考にして変更したり展開可能なものである。その一例として、接続部材としては、上記した捻りコイルばね５に代えて、ロッド同士を単純なコイルばね（圧縮コイルばね等）により離間方向へ付勢することも可能である。そのような構成では、ハウジングの軸線方向に長くなるが、軸線と交差する方向のスペースを小さく抑えることが可能となる。
【符号の説明】
【００３３】
１・・・ハウジング（１６は窓部）
２・・・ロッド（２Ａは右側ロッド、２Ｂは左側ロッド）
３・・・操作部材（３０は板体、３１は側板、３３は仕切板、３４はアーム部）
４・・・コイルばね（付勢部材、４ａは一端、４ｂは他端）
５・・・捻りコイルばね（接続部材、５ａは一端、５ｂは他端、５ｃは巻線部）
６・・・ロック装置
７・・・本体（７ａはロック孔）
１０・・・主部（１１は筒部、１２は連結片、１３は通孔、１４は支持片）
１５・・・副部（１７は取付孔、１８は支持軸、１９は揺動片部）
２０・・・後部（２４は凹所、２５は傾斜部、２６き段差部）
２３・・・先端部
【図１】
0005823792.tif 000002
【図２】
0005823792.tif 000003
【図３】
0005823792.tif 000004
【図４】
0005823792.tif 000005
【図５】
0005823792.tif 000006
【図６】
0005823792.tif 000007
【図７】
0005823792.tif 000008
【図８】
0005823792.tif 000009